(57)【要約】【課題】  ＩＣカード内に記憶されたポイント情報の有効期限を管理し、失効ポイント（有効期限の切れたポイント）を正確に算出する端末装置を提供する。【解決手段】  ＩＣカード１にポイント有効年数分のポイント情報格納エリア３を設け、それぞれのポイント情報格納エリア３に各年度に付与したポイント情報４の累計を格納することにより、各年度別のポイント情報累計の管理を可能とする。また、ポイント情報４と共に書き込まれるポイント情報付与日付５と現在日付情報とを比較することにより、容易に失効ポイントを算出することができる。【選択図】    図１
2005215807.tif 000002
【特許請求の範囲】
【請求項１】
決済に関する情報を入力する入力部と、
決済に関するポイント情報の読み取りや書き込みを記憶媒体に対して行う読取書込部と、
前記記憶媒体から読み取った情報を記憶する記憶部と、
前記入力部から入力された情報や前記記憶部に記憶されている情報に基づいて決済に関するポイント情報を処理する処理部と、
時間情報を有する時計部と、
を備え、前記ポイント情報にポイント付与日付情報を付加して前記記憶媒体に書き込む端末装置。
【請求項２】
決済に関する情報を入力する入力部と、
決済に関するポイント情報の読み取りや書き込みを記憶媒体に対して行う読取書込部と、
前記記憶媒体から読み取った情報を記憶する記憶部と、
前記入力部から入力された情報や前記記憶部に記憶されている情報に基づいて決済に関するポイント情報を処理する処理部と、
時間情報を有する時計部と、
を備え、ポイントが有効な年数の数だけ設けられており年度毎に対応付けられているポイント情報格納エリアを有する記憶媒体に対して、処理をした日付に対応する年度に対応付けられたポイント情報格納エリアに、付与したポイント情報を書き込む端末装置。
【請求項３】
決済に関する情報を入力する入力部と、
ポイントが有効な年数の数だけ年度毎に設けられておりポイント付与日付情報が付加されているポイント情報を格納するポイント情報格納エリアを有する記憶媒体に対して決済に関するポイント情報の読み取りや書き込みを行う読取書込部と、
前記記憶媒体に設けられた年度毎に設けられているポイント情報格納エリアから読み取った年度毎の情報を年度毎に記憶する記憶部と、
前記入力部から入力された情報や前記記憶部に記憶されている情報に基づいて決済に関するポイント情報を処理する処理部と、
時間情報を有する時計部と、
を備え、前記記憶媒体から読み出した最新年度のポイント付与日付情報と現在の日付とを比較し、年度がずれている場合には現年度を最新の年度として年度単位でポイント情報格納エリアの情報を移し変え、移し変える先となるポイント情報格納エリアが存在しない年度の情報を失効ポイントとして算出する端末装置。
【請求項４】
ポイントの使用等により、付与されているポイントの減算処理が生じた場合、最も古い年度に対応付けられたポイント情報格納エリアに記憶されているポイント情報からポイントを減算する請求項１から３のいずれかに記載の端末装置。
【請求項５】
ポイント情報を表示する表示部を備え、前記表示部は、ポイント情報を年度毎に表示する請求項１から４のいずれかに記載の端末装置。
【請求項６】
ポイント情報を印字する印字部を備え、前記印字部は、ポイント情報を年度毎に印字する請求項１から４のいずれかに記載の端末装置。
【請求項７】
端末装置からの情報の受け取りを行う情報受信部と、前記端末装置から受け取った情報を記憶するための記憶部とを備え、前記記憶部はポイント有効年数分の数のポイント情報格納エリアを有し、各年度に付与されたポイント情報を記憶する記憶媒体としてのＩＣカード。
【請求項８】
端末装置からの情報の受け取りを行う情報受信部と、前記端末装置から受け取った情報を記憶するための記憶部とを備え、前記記憶部は前記端末装置でポイント付与日付情報を付加されたポイント情報を記憶する記憶媒体としてのＩＣカード。
【請求項９】
年度毎にポイント情報の累計を記憶する記憶媒体と、前記記憶媒体を用いて決済処理および決済に関するポイント処理を行う端末装置と、前記端末装置から送れたポイント情報を管理するセンタとからなるポイント処理システムであって、
前記端末装置は、
決済に関する情報を入力する入力部と、
ポイントが有効な年数の数だけ年度毎に設けられておりポイント付与日付情報が付加されているポイント情報を格納するポイント情報格納エリアを有する記憶媒体に対して決済に関するポイント情報の読み取りや書き込みを行う読取書込部と、
前記記憶媒体に設けられた年度毎に設けられているポイント情報格納エリアから読み取った年度毎の情報を年度毎に記憶する記憶部と、
前記入力部から入力された情報や前記記憶部に記憶されている情報に基づいて決済に関するポイント情報を処理する処理部と、
時間情報を有する時計部と、
を備え、前記記憶媒体から読み出した最新年度のポイント付与日付情報と現在の日付とを比較し、年度がずれている場合には現年度を最新の年度として年度単位でポイント情報格納エリアの情報を移し変え、移し変える先となるポイント情報格納エリアが存在しない年度の情報を失効ポイントとして算出して前記記憶部に記憶し、前記記憶部に記憶されている失効ポイントを定期的に前記センタに送信するポイント処理システム。
【発明の詳細な説明】
【技術分野】
【０００１】
本発明は、ＩＣカードを用いたポイント処理を行う端末装置、およびＩＣカード、およびポイント処理システムに関する。
【背景技術】
【０００２】
従来は、ポイントカードポイントとして磁気カードが用いられていた。ポイントカードの機能は、取引金額に応じてポイントを付与していき、一定のポイント数に到達すると商品との交換や割引といった特典が顧客に与えられる、という機能であり、加盟店にとっては販売促進や顧客勧誘や顧客管理に最も有効な手段の一つである。
【０００３】
近年、クレジットカードのＩＣカード化に伴い、クレジットアプリケーションの付加価値としてポイントアプリケーション（ポイントカード機能）がＩＣカード内に標準搭載されることが主流となってきた。
【０００４】
ＩＣカードに搭載されるポイントアプリケーションは、ＩＣカード内の記憶エリアに設けられた複数のポイント情報格納エリア（以下、パースという）にポイント情報を記憶し、そのパースに記憶されたポイント情報を読み書きすることにより、上記のポイントカード機能を実行する。なお、カード会社が異なる場合等、内容が異なるものを異なるパースに記憶するようにしている。
【０００５】
図４（ａ）〜（ｃ）に従来のＩＣカードを示す。図４（ａ）はＩＣカードの外観、図４（ｂ）はカード内の概要図、図４（ｃ）はパース管理の概要を示すパースの構成例である。図４（ａ）〜（ｃ）に示すように、従来のＩＣカードでは１つの内容に関するポイント情報は一つのパースに記憶されていた（例えば、特許文献１参照。）。
【特許文献１】特開２００２−１８３６３２号公報
【発明の開示】
【発明が解決しようとする課題】
【０００６】
しかしながら、上記従来のＩＣカードの構成では、有効期限が切れたポイント（以下、失効ポイントという。）をコントロールすることができない。例えば、３年前に付与されたポイントも昨日付与されたポイントも同じパースに格納されるため、ポイント有効期限を３年間とした場合、本来、失効されるポイントは３年前に付与したポイントのみであるが、失効ポイントを失効させようとすると昨日付与したポイントも同時に失効してしまうことになる。そのため、顧客の有効期限前のポイントカード利用意欲が著しく阻害されていた。
【０００７】
本発明は、上記従来の問題に鑑み、正確な失効ポイント管理を行う端末装置、およびＩＣカード、およびポイント処理システムを提供することを目的とする。
【課題を解決するための手段】
【０００８】
上記目的を達成するために、本発明の端末装置は、決済に関する情報を入力する入力部と、決済に関するポイント情報の読み取りや書き込みを記憶媒体に対して行う読取書込部と、前記記憶媒体から読み取った情報を記憶する記憶部と、前記入力部から入力された情報や前記記憶部に記憶されている情報に基づいて決済に関するポイント情報を処理する処理部と、時間情報を有する時計部と、を備え、前記ポイント情報にポイント付与日付情報を付加して前記記憶媒体に書き込むものである。
【０００９】
また、本発明の端末装置は、決済に関する情報を入力する入力部と、決済に関するポイント情報の読み取りや書き込みを記憶媒体に対して行う読取書込部と、前記記憶媒体から読み取った情報を記憶する記憶部と、前記入力部から入力された情報や前記記憶部に記憶されている情報に基づいて決済に関するポイント情報を処理する処理部と、時間情報を有する時計部と、を備え、ポイントが有効な年数の数だけ設けられており年度毎に対応付けられているポイント情報格納エリアを有する記憶媒体に対して、処理をした日付に対応する年度に対応付けられたポイント情報格納エリアに、付与したポイント情報を書き込むものである。
【００１０】
また、本発明の端末装置は、決済に関する情報を入力する入力部と、ポイントが有効な年数の数だけ年度毎に設けられておりポイント付与日付情報が付加されているポイント情報を格納するポイント情報格納エリアを有する記憶媒体に対して決済に関するポイント情報の読み取りや書き込みを行う読取書込部と、前記記憶媒体に設けられた年度毎に設けられているポイント情報格納エリアから読み取った年度毎の情報を年度毎に記憶する記憶部と、前記入力部から入力された情報や前記記憶部に記憶されている情報に基づいて決済に関するポイント情報を処理する処理部と、時間情報を有する時計部と、を備え、前記記憶媒体から読み出した最新年度のポイント付与日付情報と現在の日付とを比較し、年度がずれている場合には現年度を最新の年度として年度単位でポイント情報格納エリアの情報を移し変え、移し変える先となるポイント情報格納エリアが存在しない年度の情報を失効ポイントとして算出するものである。
【００１１】
また、本発明の端末装置は、ポイントの使用等により、付与されているポイントの減算処理が生じた場合、最も古い年度に対応付けられたポイント情報格納エリアに記憶されているポイント情報からポイントを減算するものである。
【００１２】
また、本発明の端末装置は、ポイント情報を表示する表示部を備え、前記表示部は、ポイント情報を年度毎に表示するものである。
また、本発明の端末装置は、ポイント情報を印字する印字部を備え、前記印字部は、ポイント情報を年度毎に印字するものである。
【００１３】
また、本発明のＩＣカードは、端末装置からの情報の受け取りを行う情報受信部と、前記端末装置から受け取った情報を記憶するための記憶部とを備え、前記記憶部はポイント有効年数分の数のポイント情報格納エリアを有し、各年度に付与されたポイント情報を記憶するものである。
【００１４】
また、本発明のＩＣカードは、端末装置からの情報の受け取りを行う情報受信部と、前記端末装置から受け取った情報を記憶するための記憶部とを備え、前記記憶部は前記端末装置でポイント付与日付情報を付加されたポイント情報を記憶するものである。
【００１５】
また、本発明のポイント処理システムは、年度毎にポイント情報の累計を記憶する記憶媒体と、前記記憶媒体を用いて決済処理および決済に関するポイント処理を行う端末装置と、前記端末装置から送れたポイント情報を管理するセンタとからなるポイント処理システムであって、前記端末装置は、決済に関する情報を入力する入力部と、ポイントが有効な年数の数だけ年度毎に設けられておりポイント付与日付情報が付加されているポイント情報を格納するポイント情報格納エリアを有する記憶媒体に対して決済に関するポイント情報の読み取りや書き込みを行う読取書込部と、前記記憶媒体に設けられた年度毎に設けられているポイント情報格納エリアから読み取った年度毎の情報を年度毎に記憶する記憶部と、前記入力部から入力された情報や前記記憶部に記憶されている情報に基づいて決済に関するポイント情報を処理する処理部と、時間情報を有する時計部と、を備え、前記記憶媒体から読み出した最新年度のポイント付与日付情報と現在の日付とを比較し、年度がずれている場合には現年度を最新の年度として年度単位でポイント情報格納エリアの情報を移し変え、移し変える先となるポイント情報格納エリアが存在しない年度の情報を失効ポイントとして算出して前記記憶部に記憶し、前記記憶部に記憶されている失効ポイントを定期的に前記センタに送信するものである。
【発明の効果】
【００１６】
以上のように本発明によると、正確なポイント失効処理が可能となり、顧客のカード利用意欲が阻害されなくなるという多大な効果を奏する。
【発明を実施するための最良の形態】
【００１７】
以下、本発明の実施の形態について、図１〜図３を用いて説明する。図１において、記憶媒体たるＩＣカード１には、情報を格納するメモリ（記憶部）や情報を処理する情報処理エリアを有するＩＣチップ（図示せず）が取り付けられている。また、このＩＣチップのメモリにはポイント情報等を記憶する記憶エリア２が設けられている。また、このＩＣチップには、端末装置１７のデータ読取書込装置７からの情報の受け取りを行う情報受信部としての接点が設けられている。
【００１８】
この記憶エリア２はポイント有効年数分のパース３を有している。なお、本実施の形態では、ポイントの有効年数を４年として説明するので、パース３は４つあり、当年度、昨年度、昨々年度、昨々々年度のように、１年毎の年度に分けられている。そして、各パース３は、ポイント情報４を格納するエリアとポイント付与日付情報５を格納するエリアとからなる。
【００１９】
なお、本実施の形態においては、主として接触式のＩＣカードを記憶媒体として用いた場合について説明するが、端末装置の読取書込装置からの情報の受け取りを行う情報受信部として無線で情報通信を行うためのアンテナを備える非接触式のＩＣカード、ＲＦＩＤタグなども用いることができる。なお、非接触式のＩＣカード等は、アンテナで受信した情報を格納するメモリや、デコーダ等から構成される。
【００２０】
決済処理や決済に関するポイントの処理等を行う端末装置１７には、ＩＣカード１に記憶されている情報の読み出しやＩＣカード１への情報の書き込みを行うカード読取書込部７が設けられている。本実施の形態では、読取書込部７として、ＩＣカードに取り付けられたＩＣチップに接触して情報の送受信を行うＩＣ接点（図示せず）を用いた場合について説明するが、記憶媒体として上述した非接触式のＩＣカード等を用いる場合には、この非接触式のＩＣカード等からの信号を送受信するアンテナを用いることになる。
【００２１】
また、端末装置１７は、オペレータ１５が端末装置１７のもつ機能を選択するためのメニューキーや、決済処理やポイント処理に用いる暗証番号や売上金額などの入力すべき情報を入力するためのキーを有するキー入力部８と、決済処理やポイント処理に関する情報等を表示する表示部９と、決済処理やポイント処理の処理結果等を印字する印字部１０と、ポイント処理に関する取引情報や失効ポイント等を記憶する記憶部１１と、記憶部１１に記憶されたポイント取引情報を後述するポイントセンタ１３へ送信するセンタ通信部１２と、年月日時分を計時する時計部１９と、前記した各部の制御を行うメイン処理部６とを備えている。
【００２２】
また、端末装置１７から送れた、利用者の会員番号や端末装置１７が置かれている店の加盟店番号や購入金額やポイント情報等を管理するポイントセンタ１３は、どの会員がどの店で何ポイント利用していくらのものを購入して何ポイント付与された等のポイント取引情報を管理するものである。
【００２３】
このポイントセンタ１３と端末装置１７は公衆回線１８を介して接続されている。そして、端末装置１７と、ＩＣカード１と、ポイントセンタ１３からポイント処理システムが構成される。
【００２４】
以上のように構成された端末装置１７について、その動作を説明する。まず、ポイント処理開始時の動作について説明する。顧客１４がＩＣカード１をカード読取書込部７へ挿入すると、カード読取書込部７は、端末装置１７のメイン処理部６あるいは図示しないＣＰＵから発信されたポイント情報４とポイント付与日付情報５の読み出し命令をＩＣカード１のＩＣチップ内に伝達する。その結果、ＩＣチップ内の各年度のパース３からポイント情報４およびポイント付与日付情報５が引き出され記憶部１１に記憶される。非接触式のＩＣカードを用いる場合は、カードを端末装置にかざす等近づけることで、読み書きを行う。なお、この記憶部１１には、図１に示すように、ＩＣカード１の記憶エリア２と対応するようにパース３３が４つ設けられており、当年度、昨年度、昨々年度、昨々々年度のようにポイント情報が１年毎の年度に分けて記憶される。
【００２５】
ＩＣカード１からポイント情報４とポイント付与日付情報５が読み出されて記憶部１１に記憶されると、メイン処理部６は、当年度のパース３３のポイント付与日付情報３５と時計部１９にて計時されている現在の日付とを比較する。そして、年度のずれが発生していた場合、例えば、ＩＣカード１から読み出して記憶部１１に記憶した当年度のパース３３のポイント付与日付情報３５が２００２年度を示すものであり、現在が２００３年度であった場合、メイン処理部６において、２００２年度が当年度となっていたものを２００３年度が当年度となるように変更する。そして、２００３年度のポイント情報のパース３３に格納されていた２００２年度のポイント情報およびポイント付与日付情報３５を、メイン処理部６から発信されるパース変更命令により昨年度のパース３３に移し変える。また、併せて、昨年度、昨々年度、昨々々年度に対応する各パース３３内のポイント情報３４およびポイント付与日付情報３５も正しいパース３３へ移し変える。そして、２００３年度のポイント情報を移し変え処理後の当年度のパース３３へ格納する。
【００２６】
その後、カード読取書込部７はメイン処理部６からの命令に基づいて、移し変え処理後のポイント情報３４およびポイント付与日付情報３５をＩＣカード１内の対応するパース３に書き込む。なお、年度ずれが無かった場合は移し変え処理は行わず、当年度のパース３３に今回のポイントの累積を行う処理をする。これら一連の動作は、端末装置１７に組み込まれた実行プログラムによって行われる。
【００２７】
続いて、年度ずれがあった場合の、端末装置１７内での各パース３３内のポイント情報３４およびポイント付与日付情報３５を移し変える処理について、図２（ａ）、（ｂ）を用いて詳細に説明する。
【００２８】
図２（ａ）は３つの年度のポイント情報が記憶されており年度ずれが１年である場合の移し変え処理の一例を示す。また図２（ｂ）は１つの年度のポイント情報が記憶されており年度ずれが３年である場合の移し変え処理の一例を示す。
【００２９】
図２（ａ）に示すように、年度ずれが１年であった場合、メイン処理部６が、昨々年度に記憶されている内容を昨々々年度のパース３３へ移し、併せて、昨年度のものは昨々年度へ、当年度のものは昨年度へ移す。
【００３０】
また、図２（ｂ）に示すように、年度ずれが３年であった場合、メイン処理部６が、当年度のパース３３に記憶されている内容を昨々々年度のパース３３に移す。
次に、失効ポイントの算出について説明する。年度ずれに伴う各パース３３内のポイント情報３４およびポイント付与日付情報３５を移し変える処理に伴って失効ポイントを算出する例を図３（ａ）、（ｂ）に示す。
【００３１】
図３（ａ）は４つの年度のポイント情報が記憶されており年度ずれが１年である場合の失効ポイント算出処理の一例を示す。また図３（ｂ）は４つの年度のポイント情報が記憶されており年度ずれが３年である場合の失効ポイント算出処理の一例を示す。
【００３２】
図３（ａ）において、図２（ａ）でも示したように、年度ずれが１年である場合には、処理前の当年度のパース３３の情報を昨年度のパース３３に、処理前の昨年度のパース３３の情報を昨々年度のパース３３に、処理前の昨々年度のパース３３の情報を昨々々年度のパース３３に移す。ここで、パース３３は有効年数分（４つ）しか設けていないため、処理前の昨々々年度に記憶されていた情報は移動先のパース３３が存在しない失効ポイント１６となる。なお、この失効ポイント１６は、記憶部１１の各パース３３を記憶しているエリア以外のエリアに記憶される。
【００３３】
また、図３（ｂ）において、図２（ｂ）でも示したように、年度ずれが３年である場合には、処理前の当年度のパース３３の情報を昨々々年度のパース３３に移す。ここで、パース３３は有効年数分（４つ）しか設けていないため、処理前の昨年度と昨々年度と昨々々年度に記憶されていた情報は移動先のパース３３が存在しない失効ポイント１６となる。なお、この失効ポイント１６は、記憶部１１の各パース３３を記憶しているエリア以外のエリアに記憶される。
【００３４】
この失効ポイント１６は、端末装置１７で定期時刻に実施されるポイントデータ送信処理により、センタ通信部１２を介してポイントセンタ１３へ送信される。
このように年度毎にパース３３を分けてポイント情報３４を記憶し、このポイント情報３４にポイント付与日付情報３５を付加することにより、失効ポイント１６の算出を容易に行うことができ、容易に年度単位のポイント有効期限管理ができる。
【００３５】
そして、失効ポイント１６のデータをポイントセンタ１３へ送信することにより、ポイントセンタ１３での失効ポイントの管理が容易となる。
次に、上記したパース３３内の情報の移し変え処理が終了し、その後、ポイントが使用されてポイントが減少する場合や、取り引きによりポイントが与えられてポイントが増加する場合の端末装置１７の動作について説明する。
【００３６】
端末装置１７内でのパース３３内の情報の移し変え処理が完了した後のポイント情報３４に対して、ポイントを商品券に交換したり、１ポイント１円と換算して利用することによるポイント情報３４の減算が発生した場合、メイン処理部６は、最も古い年度のパース３３のポイント情報３４からポイントを減算していく。一方、取引金額に応じてポイントが与えられたり、オペレータ１５の直接入力によりポイントが与えられることによるポイント情報３４の加算が発生した場合、メイン処理部６は、当年度のパース３３のポイント情報３４に加算し、ポイント付与日付３５を現在日付に更新する。
【００３７】
このように加算、減算によって取り扱うパース３３を変えることで、顧客１４にとって効率の良いポイント処理を実施することができる。
また、これらのポイント加減算および残高情報は、ポイント処理終了後、表示部９あるいは印字部１０により年度毎に表示または印字される。また、記憶部１１に記憶されている情報は、定期時刻に実施されるポイントデータ送信処理により、センタ通信部１２を介してポイントセンタ１３へ送信される。
【００３８】
このように、年度毎のポイント情報を表示または印字することで、有効期限切れ間近のポイント情報を顧客１４に知らせることができ、ポイントが失効する前にポイントを利用するといった顧客のカード利用意欲を高めることができる。
【００３９】
さらにポイント加減算情報や失効ポイント情報や残高情報等をポイントセンタ１３に送信することにより、ポイントセンタ１３でのポイント情報管理および顧客管理を容易にすることができる。
【００４０】
なお、本実施の形態では、ＩＣカード１の記憶エリア２内のポイント情報格納エリア３や端末装置１７の記憶部１１内のポイント情報格納エリア３３を、年度毎に分けた場合を例に説明したが、これに限るものではなく、年や月や日等で分けるようにしても良いし、また、複数年毎に分けるようにしても良い。本実施の形態による決済端末装置内のデータ処理はプログラム化された命令によって実行される。
【００４１】
以上のように、本実施の形態１によれば、ＩＣカード１にポイント有効年数分のポイント情報格納エリア３を設け、それぞれのポイント情報格納エリア３に各年度に付与したポイント情報４の累計を格納することにより、各年度別のポイント情報累計の管理を可能とする。また、ポイント情報４と共に書き込まれるポイント情報付与日付５と現在日付情報とを比較することにより、失効ポイント（有効期限の切れたポイント）を容易に算出することができる。したがって、ＩＣカード１内に記憶されたポイント情報の有効期限を管理し、失効ポイントを正確に算出することができる。
【産業上の利用可能性】
【００４２】
本発明にかかる端末装置は、正確なポイント失効処理が可能であり、カードによりポイントを管理する決済システム等に有用である。
【図面の簡単な説明】
【００４３】
【図１】本発明の実施の形態１におけるポイント処理システムの概略構成図
【図２】（ａ）  本発明の実施の形態１における年度ずれが１年の場合のポイント情報の移し変え処理の概念図  （ｂ）  本発明の実施の形態１における年度ずれが３年の場合のポイント情報の移し変え処理の概念図
【図３】（ａ）  本発明の実施の形態１における年度ずれが１年の場合の失効ポイント算出処理の概念図  （ｂ）  本発明の実施の形態１における年度ずれが３年の場合の失効ポイント算出処理の概念図
【図４】（ａ）  ＩＣカードの外観図  （ｂ）  ＩＣカード内の概要図  （ｃ）  パースの構成例を示す図
【符号の説明】
【００４４】
１  ＩＣカード
２  記憶エリア
３  ポイント情報格納エリア（パース）
４  ポイント情報
５  ポイント付与日付情報
６  メイン処理部
７  カード読取書込部
８  キー入力部
９  表示部
１０  印字部
１１  記憶部
１２  センタ通信部
１３  ポイントセンタ
１４  顧客
１５  オペレータ
１６  失効ポイント
１７  端末装置
１８  公衆回線
１９  時計部
３３  ポイント情報格納エリア（パース）
３４  ポイント情報
３５  ポイント付与日付情報
【図１】
2005215807.tif 000003
【図２】
2005215807.tif 000004
【図３】
2005215807.tif 000005
【図４】
2005215807.tif 000006